(57)【特許請求の範囲】
【請求項１】
ユニット工法住宅邸のメンテナンス時に部材を供給するユニット工法住宅邸の絞り込みを行うための商品タイプ，出荷日，生産会社コード，依頼部所コード，工事部所コードといった、ユニット工法住宅邸に非固有な邸それぞれの属性情報を、邸コード又は邸名といった住宅引渡しが完了したユニット工法住宅邸それぞれの固有情報に対応させて、邸毎に管理される邸情報として記憶する邸情報ＤＢと、
品番，品名，数量といった部材それぞれの情報と、ユニット工法住宅を構成する部材特有のユニット番号，部位を含む部材それぞれの属性情報とを、邸コード又は邸名といった住宅引渡しが完了したユニット工法住宅邸それぞれの固有情報に対応させて、邸毎に管理される部材データとして記憶する部材ＤＢと、
商品タイプ，出荷日，生産会社コード，依頼部所コード，工事部所コードといった、ユニット工法住宅邸に非固有な邸それぞれの属性情報の項目の中から、少なくとも１つの検索項目についての情報が、通信回線を介して接続された外部端末から検索条件として入力された場合に、邸情報ＤＢに記憶されているユニット工法住宅邸それぞれの固有情報に対応した邸情報の中から、検索項目に該当した属性情報が検索条件の情報を満たしているユニット工法住宅邸の固有情報を検索し、当該検索結果で得られたユニット工法住宅邸全ての固有情報を、当該各邸の検索した項目以外の属性情報とともに、当該外部端末に当該検索条件に対する検索結果として出力制御する邸絞り込み検索手段と、
当該外部端末によって、該邸絞り込み検索手段による検索結果で得られたユニット工法住宅邸全ての固有情報の中から、部材を供給するユニット工法住宅邸が、当該検索結果で得られたユニット工法住宅邸全ての固有情報と当該各ユニット工法住宅邸の検索した項目以外の属性情報とに基づいてユーザにより指定された場合に、当該指定されたユニット工法住宅邸の固有情報、ユニット番号及び部位を検索条件として部材ＤＢを検索し、当該検索結果で得られた指定されたユニット工法住宅邸の当該ユニット番号、部位の部材データを、当該外部端末に出力制御する邸別部材検索手段と
を備えることを特徴とする邸展開データ検索システム。
【請求項２】
コンピュータを、請求項１に記載の邸展開データ検索システムとして機能させるためのプログラムを記録したことを特徴とするコンピュータ読み取り可能な記録媒体。
【請求項３】
コンピュータを、請求項１に記載の邸展開データ検索システムとして機能させるためのプログラム。
【発明の詳細な説明】
【０００１】
【発明の属する技術分野】
本発明は邸展開データ検索システムに関し、特に、住宅のメンテナンス時に必要な部材の供給を効率よく行うことに寄与することができる邸展開データ検索システム、邸展開データ検索プログラムを記録した記録媒体、及び邸展開データ検索プログラムに関する。
【０００２】
【従来の技術】
建築メーカでは、顧客への住宅引渡し後に、住宅の保全・修繕に関するアフターサービスを行っている。このアフターサービスでは、顧客邸に適した部品が迅速に提供されることが望ましい。
【０００３】
一般に、建築メーカには、施主への引渡し後のアフターサービスを担当する部門が設けられている。この部門では、住宅の保全・修繕の際に必要な部材の供給に際して、配布されている部品表・部品図等を探索し、該当する部品を生産部門に発注している。
【０００４】
【発明が解決しようとする課題】
住宅のメンテナンスの対象となる部品の交換・補修の周期は、一般に５〜１０年程度である。したがって、部品の発注時には、生産時よりも時間がかなり経過しているため、供給する部品の情報が無い場合がある。この場合には、部品の発注ミス（品番違い、左右違い）、ロスコストに繋がる。
【０００５】
本発明の目的は、住宅のメンテナンス時に発生する部材の供給を効率よく行うことに寄与することができる邸展開データ検索システム、邸展開データ検索プログラムを記録した記録媒体、及び邸展開データ検索プログラムを提供することにある。
【０００６】
【課題を解決するための手段】
本発明の邸展開データ検索システムは、ユニット工法住宅邸のメンテナンス時に部材を供給するユニット工法住宅邸の絞り込みを行うための商品タイプ，出荷日，生産会社コード，依頼部所コード，工事部所コードといった、ユニット工法住宅邸に非固有な邸それぞれの属性情報を、邸コード又は邸名といった住宅引渡しが完了したユニット工法住宅邸それぞれの固有情報に対応させて、邸毎に管理される邸情報として記憶する邸情報ＤＢと、品番，品名，数量といった部材それぞれの情報と、ユニット工法住宅邸を構成する部材特有のユニット番号，部位を含む部材それぞれの属性情報とを、邸コード又は邸名といった住宅引渡しが完了したユニット工法住宅邸それぞれの固有情報に対応させて、邸毎に管理される部材データとして記憶する部材ＤＢと、商品タイプ，出荷日，生産会社コード，依頼部所コード，工事部所コードといった、ユニット工法住宅邸に非固有な邸それぞれの属性情報の項目の中から、少なくとも１つの検索項目についての情報が、通信回線を介して接続された外部端末から検索条件として入力された場合に、邸情報ＤＢに記憶されているユニット工法住宅邸それぞれの固有情報に対応した邸情報の中から、検索項目に該当した属性情報が検索条件の情報を満たしているユニット工法住宅邸の固有情報を検索し、当該検索結果で得られたユニット工法住宅邸全ての固有情報を、当該各邸の検索した項目以外の属性情報とともに、当該外部端末に当該検索条件に対する検索結果として出力制御する邸絞り込み検索手段と、当該外部端末によって、該邸絞り込み検索手段による検索結果で得られたユニット工法住宅邸全ての固有情報の中から、部材を供給するユニット工法住宅邸が、当該検索結果で得られたユニット工法住宅邸全ての固有情報と当該各ユニット工法住宅邸の検索した項目以外の属性情報とに基づいてユーザにより指定された場合に、当該指定されたユニット工法住宅邸の固有情報、ユニット番号及び部位を検索条件として部材ＤＢを検索し、当該検索結果で得られた指定されたユニット工法住宅邸の当該ユニット番号、部位の部材データを、当該外部端末に出力制御する邸別部材検索手段と、を備えるものである。
これにより、品番，品名といった部材それぞれの固有情報が不明であり、邸コード又は邸名といった住宅引渡しが完了した邸それぞれの固有情報が不明である場合であっても、商品タイプ，出荷日，生産会社コード，依頼部所コード，工事部所コードといった、邸に非固有な邸それぞれの属性情報から、的を絞った部材の検索が可能となる。
【０００７】
また、遠隔地に配置される端末は、ＷＥＢ画面等の汎用的なインタフェースを利用して、部材を検索することができる。
【００１０】
また、ユニット工法独自の特徴を生かし、各部材の詳細な属性から効率的な検索を行うことができる。
【００１１】
他の観点において本発明は、コンピュータを、上記構成により実現される邸展開データ検索システムとして機能させるためのプログラムを記録したコンピュータ読み取り可能な記録媒体である。
他の観点において本発明は、コンピュータを、上記構成により実現される邸展開データ検索システムとして機能させるためのプログラムである。
【００１２】
【発明の実施の形態】
以下、本発明の実施の形態を添付図面と対応して詳細に説明する。
図１は、本発明の実施の形態による邸展開データ検索システムの構成を説明するブロック図である。
【００１３】
はじめに、本邸展開データ検索システム（以下、検索システムと呼ぶ）は、イントラネット又はインターネット等の通信回線を利用して、邸別の設備・部材・部品データ（以下、部材データと呼ぶ）を管理する情報部門と、住宅引渡し後のアフターサービスを担当するアフターメンテナンス部門又は補修作業等を担当する工事・施工部門間での部品データに関する情報のやり取りを行うものである。
【００１４】
特に、本実施の形態では、生産部門で稼動しているＭＲＰ(Material Requirement Planning)システムで管理している邸別の部品表（部材データ）をアフターサービスにおける部品の供給にも利用する。
図１に示す検索システムは、ＭＲＰサーバ１、検索サーバ２、アフターサービス端末（以下、ＡＳ端末と呼ぶ）３、工事・施工端末４、及びイントラネット５により構成される。
【００１５】
ＭＲＰサーバ１は、住宅の生産部門に配置され、１つの邸の構成要素（利用した全部品）を邸別部品表の形式で管理する。ＭＲＰサーバ１は、イントラネット５を介して検索サーバ２に接続される。
【００１６】
検索サーバ２は、いわゆるＷＥＢサーバであり、情報管理部門に配置され、情報管理者等により操作される。検索サーバ２は、ＭＲＰサーバ１で管理されている邸別部品表のデータのうち、住宅引渡しが完了した邸の部材データを管理する。また、ＡＳ端末３又は工事・施工端末４からの検索要求に応じて、管理している部材データから該当する部材データを検索する。
【００１７】
ＡＳ端末３は、アフターメンテナンス部門に配置され、アフターサービス担当者等により操作される。ＡＳ端末３は、イントラネット５を介して検索サーバ２に接続し、検索サーバ２で管理されている部材データの中から、住宅のメンテナンス等で供給すべき部材をＷＥＢ画面上で検索する。
【００１８】
工事・施工端末４は、工事・施工部門に配置され、工事担当者等により操作される。工事・施工端末４は、イントラネット５を介して検索サーバ２に接続し、検索サーバ２で管理されている部材データの中から、住宅のメンテナンス等で供給すべき部材をＷＥＢ画面上で検索する。また、工事・施工端末４は、イントラネット５上で稼動している電子掲示板等でＡＳ部門との部材データに関する情報のやり取りを行う。
【００１９】
図１において、検索サーバ２とＡＳ端末３又は工事・施工端末４とは、ＴＣＰ／ＩＰ等のインターネット用の通信プロトコルを用いて通信可能に接続される。ＡＳ端末３、工事・施工端末４は、ＷＥＢブラウザ等を利用して、検索サーバ２に管理されている部材データの検索を行う。
【００２０】
図２は、本実施の形態による検索サーバ２の詳細構成を説明する図である。
本検索サーバ２は、制御部９、送信／受信部１１、ＲＡＭ１３、ＲＯＭ１５、入力操作部１７、表示部１９、ＣＤ−ＲＯＭドライブ２１、邸情報データベース（以下、ＤＢと呼ぶ）２５、及び部材ＤＢ２７により構成される。
【００２１】
制御部９はＣＰＵであり、本検索サーバ２全体の動作を制御する。特に、（１）ＡＳ端末３、工事・施工端末４からの検索要求、該要求に対する検索結果等に関するデータ通信制御、（２）上記検索要求時に、邸情報ＤＢ２５及び部材ＤＢ２７等に記憶されているデータを用いた検索処理、等を行う。
送信／受信部１１は、制御部９の指示に基づいて、ＡＳ端末３、工事・施工端末４との間でデータの送信及び受信処理を行う。
【００２２】
ＲＡＭ１３は、検索サーバ２の処理に必要なデータを一時的に格納する。特に、上記検索処理時に、ＡＳ端末３、工事・施工端末４に転送する各表示画面データ（図６〜図８参照）を一時的に格納する。ＲＯＭ１５は、本検索サーバ２の処理プログラム等を固定的に格納する。
【００２３】
入力操作部１７は、キーボード、マウス等であり、後述する各種データベースの内容登録又は更新時等に操作される。表示部１９は、ＬＣＤ等であり各種データベースの内容登録又は更新時等に、制御部９からのコードデータをその都度表示用データに変換して表示処理を行う。
ＣＤ−ＲＯＭドライブ２１は、制御部９からの指示に基づいて、ＣＤ−ＲＯＭ２３に格納されているプログラム等を読み出してＲＡＭ１３等に書き込む。
【００２４】
邸情報ＤＢ２５、部材ＤＢ２７は、光磁気ディスクライブラリ装置等の大容量の記憶装置である。図２では、各ＤＢ２５，２７は各記憶装置に個別に格納されるように示しているが、これらのデータベースが１台の記憶装置に設けられていてもよい。
邸情報ＤＢ２５は、邸毎に管理される邸情報を記憶する。
【００２５】
図３は、邸情報ＤＢ２５に記憶される邸情報を例示する図である。
本実施の形態において、邸情報は、邸コード及び邸名に対応して、商品タイプ、出荷日、生産会社コード、依頼部所コード、工事部所コード、新規登録日が記憶される。邸コード、邸名は、検索対象となる邸を識別するために、建築メーカ等により邸に固有に登録される。
【００２６】
図３の例では、邸情報が２件記憶されている。１件目の邸情報は、邸コード“AAA001”、邸名“ヤマダサマ001”に対応して、商品タイプ“××１”、出荷日“1999.01.08”、生産会社コード“pro001”、依頼部所コード“req008”、工事部所コード“buil007”、新規登録日“1998.09.20”が記憶されている。
【００２７】
また、２件目の邸情報は、邸コード“ABC003”、邸名“スズキサマ001”に対応して、商品タイプ“○×２”、出荷日“1999.03.21”、生産会社コード“pro004”、依頼部所コード“req009”、工事部所コード“buil014”、新規登録日“1998.10.08”が記憶されている。
部材ＤＢ２７は、邸毎に管理されている部材データを記憶する。
【００２８】
図４は、部材ＤＢ２７に記憶される部材データを例示する図である。
本実施の形態において、部材データは、邸に固有な情報である邸コード、邸名に対応して、該部材が取り付けられているユニット、部位等の属性情報と共に記憶される。図４の例では、図３で例示した邸コード“AAA001”、“ABC003”に対応する部材データが各々記憶されている。
【００２９】
１件目の部材データは、邸コード“AAA001”及び邸名“ヤマダサマ001”に対応し、次に示す情報が例示されている。（１）品番“xx123”、品名“○○○○○”、数量“１”、ユニット番号“0”、部位“Y”、区分“場内”、及び工場取扱品“○”、（２）品番“xx009”、品名“×××××”、数量“4”、ユニット番号“0”、部位“Y”、区分“場内”、及び工場取扱品“○”、（３）品番“xx921”、品名“△△△△△”、数量“2”、ユニット番号“0”、部位“Y”、区分“場外”、及び工場取扱品“○”。
【００３０】
ここで、「区分」とは、各部材の発送形態を示し、工場内で取り付けた部材である場合には「場内」、取り付けずに出荷した部材である場合には「積込」、工場製造部材である場合には「出荷」、欠品時等の後日発送部材「追送」のいずれかが示される。また、「工場取扱品」とは、部材が工場加工品であるか否かを示す。
【００３１】
２件目の部材データは、邸コード“ABC003”及び邸名“スズキサマ001”に対応し、次に示す情報が例示されている。（１）品番“zz123”、品名“○×○×○”、数量“2”、ユニット番号“0”、部位“Y”、区分“場内”、及び工場取扱品“○”、（２）品番“zz008”、品名“×○×○×”、数量“4”、ユニット番号“0”、部位“Y”、区分“場内”、及び工場取扱品“○”、（３）品番“xx923”、品名“△○△○△”、数量“3”、ユニット番号“0”、部位“Y”、区分“場内”、及び工場取扱品“○”。
【００３２】
このデータ構造により、例えば、邸に固有な情報が１つ指定された場合、該邸を構成する全部材データを知ることができる。さらに、部材ＤＢ２７での検索では、部材の特徴を表わす属性情報であるユニット番号又は部位等の指定により、的を絞った検索が可能となる。
【００３３】
つぎに、本実施の形態による検索システムの動作を説明する。
図５は、本実施の形態による検索システムの動作を説明するフローチャートである。ここでは、ＡＳ端末３からの検索要求に応じて、検索サーバ２が処理を実行する場合を例に説明する。
【００３４】
はじめに、ステップＳ１０１では、ＡＳ端末３からの検索要求を受信し、次いでステップＳ１０２で、該要求に応じて、制御部９は検索システムを起動する。これにより、ステップＳ１０３では、図６に示すような邸検索画面がＡＳ端末３に表示される。
【００３５】
図６は、本実施の形態の邸検索画面を例示する図である。
この画面は、部材を供給する対象となる邸の絞り込みを行う画面である。検索条件を入力してボタン“検索”をマウス等でクリックすると、邸情報ＤＢ２５から条件に該当する邸が検索される。
【００３６】
この画面上には、コメント“邸データの検索条件を入力してください。邸名カナ、％、＿を使ったあいまい検索ができます。”が表示されている。また、上記コメントの下には、検索条件を入力するボックス「邸コード」、「邸名カナ」、「商品タイプ」、「出荷日」、「生産会社コード」、「依頼部所コード」、「工事部所コード」が各々設けられている。
【００３７】
つぎに、ステップＳ１０４では、検索条件が入力される。本実施の形態では、検索条件として「商品タイプ」“mmm”を入力する。つぎに、ステップＳ１０５で、ボタン“条件クリア”がクリックされたか否かを判別する。ステップＳ１０５において、ボタン“条件クリア”がクリックされた場合には、先に入力された検索条件を表示画面からクリアしてステップＳ１０４に戻る。また、ボタン“条件クリア”がクリックされない場合、ステップＳ１０６に進む。
【００３８】
ステップＳ１０６では、ボタン“検索”のクリックに応じて、制御部９は邸情報ＤＢ２５を参照し、次いでステップＳ１０７で、受信した邸検索条件「商品タイプ」“mmm”に該当する邸情報を読み出す。ステップＳ１０８では、上記読み出された邸情報をＡＳ端末３に送信し、図７に示す邸検索結果画面の画面データと共に表示する。
【００３９】
なお、本実施の形態での検索条件の入力に関し、「邸コード」には、検索した邸の邸コードが入力される。「邸名カナ」には、検索したい邸の邸名（カナ）が入力される。「商品タイプ」には、ボタン“◇”をクリックすることで表示されるドロップダウンメニューから商品タイプが選択される。「出荷日」には、出荷日の範囲が指定される。指定された日も範囲内に含まれる。“〜”の前方にのみ日付が指定された場合には、指定された日に出荷された邸が検索される。「生産会社コード」、「依頼部所コード」、又は「工事部所コード」には、生産会社コードが入力される。これら検索条件の入力では、複数の検索条件が指定された場合には、それらを満たす邸が全て検索される。
【００４０】
図７は、本実施の形態の邸検索結果画面を例示する図である。
この画面は、図６での検索結果を表示する。本実施の形態では、邸の検索結果は、５０件ずつ表示される。結果は邸コードの昇順に表示される。ある邸コードをマウス等でクリックすると、該当邸の部材データを検索する画面（図８参照）が表示される。また、記号「CSV」をクリックすると、該当邸の部材データがダウンロードされる。
【００４１】
この例では、図６の検索条件「商品タイプ」“mmm”にヒットした全邸情報が表示される。この画面上には、コメント“邸コードをクリックすると、その邸の部材展開データが検索できます。邸検索データをダウンロードするには行頭のCSVをクリックしてください”が表示されている。
【００４２】
また、上記コメントの下には、検索結果となる邸情報が表示されている。ここでは３件の邸情報が表示されており、図３同様に、邸コード、邸名、商品タイプ、出荷日、生産会社コード、依頼部所コード、工事部所コード、新規登録日が表示されている。
【００４３】
１件目には、邸コード“QQQ001”、邸名“タナカサマ001”、商品タイプ“mmm”、出荷日“1999.01.09”、生産会社“pro001”、依頼部所“req001”、工事部所“buil003”、新規登録日“1998.7.20”からなる邸情報が表示されている。
【００４４】
２件目には、邸コード“QQQ003”、邸名“ヤマグチサマ001”、商品タイプ“mmm”、出荷日“1999.02.11”、生産会社“pro004”、依頼部所“req002”、工事部所“buil001”、新規登録日“1998.9.22”からなる邸情報が表示されている。
【００４５】
３件目には、邸コード“QQQ007”、邸名“マツイサマ001”、商品タイプ“mmm”、出荷日“1999.05.21”、生産会社“pro002”、依頼部所“req008”、工事部所“buil003”、新規登録日“1998.11.08”からなる邸情報が表示されている。
【００４６】
ここで、ＡＳ端末３は、上記３件の邸情報のうち、部材を供給する邸の指定として、たとえば邸コード“QQQ001”をマウス等でクリックする。ステップＳ１０９では、検索サーバ２は指定された邸コード“QQQ001”を受信し、次いでステップＳ１１０で、制御部９は部材ＤＢ２７を参照して、受信した邸コード“QQQ001”に該当する部材データを全て読み出す。
ステップＳ１１１では、上記読み出された部材データをＡＳ端末３に送信し、図８に示す邸別部材検索画面の画面データと共に表示する。
【００４７】
図８は、本実施の形態の邸別部材検索画面を例示する図である。
この画面は、一邸分の部材データを検索する画面であり、ここでは、図７で指定した邸コード“QQQ001”に対応する部材データが表示されている。さらに、ボタン“検索”をマウス等でクリックすると、検索条件に合致した部材が表示される。部材の検索結果は、５０件ずつ表示される。件数表示の左右の矢印により、検索結果はページめくりされる。
【００４８】
この画面上には、図７で表示されていた邸コード“QQQ001”の邸情報が表示されており、その下には、検索条件を入力するボックス「品名」、「品番」、「ユニット番号」、「部位」が設けられている。ここでの検索条件は、部材の属性情報により検索を行うための条件である。また、該ボックスの下には、コメント“黄色い背景の行は工場品です。”が表示されている。
【００４９】
さらに、上記コメントの下には、邸コード“QQQ001”に対応する全部材データが表示されている。ここでは主に３つの部材データが表示されており、図４同様に、品番、品名、数量、ユニット番号、部位、区分、工場取扱品の項目で表示されている。
【００５０】
１段目に、品番“F0004”、品名“＃＃＃＃＃”、数量“2”、ユニット番号“0”、部位“T”、区分“工場”、及び工場取扱品“○”からなる部材データが表示されている。２段目には、品番“GG0006”、品名“％％％％％”、数量“1”、ユニット番号“0”、部位“T”、区分“工場”、及び工場取扱品“○”からなる部材データが表示されている。３段目には、品番“HH0007”、品名“＆＆＆＆＆”、数量“3”、ユニット番号“0”、部位“T”、区分“工場”、及び工場取扱品“○”からなる部材データが表示されている。
【００５１】
本実施の形態では、この邸別部材検索画面にはユニット番号の昇順に、部材データが表示されている（３段目以降図示せず）。したがって、利用者は、この画面をスクロールすることにより所定の部材を探すことができる。
【００５２】
また、「品名」、「品番」、「ユニット番号」、又は「部位」等の部材の属性情報を検索条件とした検索により、該当する部材を探すことができる。ステップＳ１１２では、例として部材の属性情報「ユニット番号」“3”を入力する。
【００５３】
つぎに、ステップＳ１１３で、ボタン“条件クリア”がクリックされたか否かを判別する。ステップＳ１１３において、ボタン“条件クリア”がクリックされた場合には、先に入力された検索条件を表示画面からクリアしてステップＳ１１２に戻る。また、ボタン“条件クリア”がクリックされない場合、ステップＳ１１４に進む。
【００５４】
ステップＳ１１４では、ボタン“検索”のクリックに応じて、制御部９は部材ＤＢ２７を参照し、次いでステップＳ１１５で、邸コード“QQQ001”に対応する部材データのうち、受信した属性情報「ユニット番号」“3”に該当する部材データを読み出す。
【００５５】
つぎに、ステップＳ１１６では、上記読み出された部材データをＡＳ端末３に送信し、邸別部材検索結果画面（図示せず）に表示する。この邸別部材検索結果画面には、図８に示す検索画面に表示されている部材データのうち、属性情報「ユニット番号」“3”に対応する部材データのみが表示される。
【００５６】
なお、本実施の形態での検索条件の入力に関し、「品名」には、品名（部材名）に含まれる文字列が入力される。“％”、“＿”を使ったあいまい検索ができる。「品番」には、品番に含まれる文字列が入力される。“％”、“＿”を使ったあいまい検索ができる。「ユニット番号」には、検索する部材が取り付けられるユニット番号が入力される。３つまで指定でき、指定されたいずれかのユニット番号に合致する部材が検索される。「部位」は、ユニット同様に、検索する部材が取り付けられる部位が入力される。３つまで指定でき、指定されたいずれかの部位に合致する部材が検索される。ボタン“◇”をクリックすることで表示されるドロップダウンメニューから部位が選択される。「区分」には、図４に例示したように、“場内”、“場外”、“出荷”、及び“追送”のいずれかが選択される。また、「工場取扱品」については、工場加工品である場合には、その行が色分けして表示される。
【００５７】
以上により、本実施の形態による検索システムは、部材検索時に所持している邸の情報の不確かさを考慮して、はじめに、邸情報ＤＢ２５を参照して該当する邸を探す。つぎに、該当邸の部材データ一覧をスクロールして所定部材を探してもよいし、ユニット又は部位等の検索条件を考慮した部材データを探すこともできる。
【００５８】
以上、この発明の実施の形態を図面を参照して詳述してきたが、具体的な構成はこれらの実施の形態に限られるものではなく、この発明の要旨を逸脱しない範囲の設計の変更等があってもよい。
【００５９】
たとえば、上記実施の形態では、部材ＤＢ２７が邸名及び邸コードに対応して部材データを記憶することで、邸検索（邸情報ＤＢ２５）から部材データ検索（部材ＤＢ２７）へのリンクを実現している。本発明はこれに限定されず、部材ＤＢ２７が邸に固有な情報に対応して部材データを記憶していればよい。
【００６０】
また、上記実施の形態では、邸情報のうち、邸に非固有な情報である邸検索条件「商品タイプ」で検索し（図６参照）、該商品タイプに該当する邸が全て表示された上で所定の邸を指定している（図７参照）。本発明はこれに限定されず、たとえば、邸名又は邸コード等、邸に固有な情報により邸検索を行うことで、部材ＤＢ２７に対する検索のみで所定の部材を探すことができる。
【００６１】
いずれにしても、本発明の邸展開データ検索システムは、部材ＤＢ２７が、邸の固有情報に対応して該邸を構成する部材データを記憶する。制御部９が、上記邸の固有情報の指定に応じて、部材ＤＢ２７に記憶されている部材データの中から該当する部材データを読み出し、表示部１９又はプリンタ（図示せず）等の出力装置に出力制御する。この構成を実現することで、検索サーバ２をスタンドアロンの検索装置とし、邸別部材検索画面（図８参照）をスクロールする等して所定部材を探すことができる。
【００６２】
また、この場合、制御部９が、上記邸の固有情報の指定に応じて、部材ＤＢ２７に記憶されている部材データの中から該当する部材データを読み出し、イントラネット５を介して邸の固有情報を指定した端末に送信制御する構成として実現してもよい。この構成を実現することで、遠隔地に配置される端末は、通信回線を介して検索サーバ２にサクセスでき、部材の検索が可能となる。
【００６３】
さらに、上記構成において、邸別部材検索画面（図８参照）から、検索する部材が設けられるユニット又は部位等の特徴を表わす属性情報を検索条件として指定する構成としてもよい。また、邸検索画面（図６参照）に代えて、上記邸の固有情報と上記属性情報とを同時に検索条件として指定する画面（図示せず）を設け、該当する部材データを直接検索する構成としてもよい。
【００６４】
いずれにしても、部材ＤＢ２７は、各部材に部材の特徴を表わす属性情報が付加された部材データを記憶する。制御部９は、邸の固有情報及び属性情報の指定に応じて、部材ＤＢ２７に記憶されている部材データの中から該当する部材データを読み出し、表示部１９又はプリンタ（図示せず）等の出力装置に出力制御するか、または、邸の固有情報を指定した端末に送信制御する。この構成を実現することで、より的を絞った検索を効率よく実行することができる。
【００６５】
なお、上記邸の固有情報（及び属性情報）を指定した端末とは、上記実施の形態でのＡＳ端末３のＰＣに限定されず、たとえば、現場担当者等が所有する携帯電話又はＰＨＳ等、検索サーバ２にアクセス可能な機器であればよい。
【００６６】
また、上記実施の形態では、部材の特徴を表わす属性情報として、「品番」、「ユニット番号」、「部位」、「区分」、「工場取扱品」を例にしている。本発明はこれに限定されない。たとえば、同一形状部材の左／右を示す情報、部材の原材料品番、部材の配下にある子部材の有無、「品番」での発注の可否を示す情報、上記配下子部材の品番又は品名等、部材の検索に際してキーとなり得る情報であれば利用できる。
【００６７】
本発明の邸展開データ検索システムは、住宅の生産部門で発生する邸別の部材情報を元に、アフターメンテナンス部門で公開可能なデータベースを構築することによる。
【００６８】
邸別の部材情報は生産部門にて発生するため、取り付け場所がある程度特定できる。本発明ではこれを公開情報にも継承させている。具体的には、ユニット工法住宅の基本構成である、ユニット番号を付加している。同様に、部材番号のコード仕様が標準化されている為、メニュー（住宅の部位、すなわち、家の大きな構成要素、例えば、階段・玄関・窓等）指定の検索を可能にする。
【００６９】
データベースの内容はＷＥＢサーバ上に公開し、社内イントラネットはもとより、インターネット上で公開することができる。また、社外施工業者・部材供給メーカにも公開することができる。
【００７０】
また、ダウンロード機能により、参照拠点での加工利用が可能である。生産段階で発生した部材情報のため、正しい部材発注が可能となり、不良部材（品質不良・性能目標未達）を検索することもできる。
なお、本発明の邸展開データ検索システムは、本邸展開データ検索システムを機能させるためのプログラムでも実現される。このプログラムは、コンピュータで読み取り可能な記録媒体に格納されている。
【００７１】
本システムの動作を実行するプログラムを記録した記録媒体は、図２に示される検索サーバ２のＲＯＭ１５そのものであってもよいし、また、外部記憶装置としてＣＤ−ＲＯＭドライブ２１等のプログラム読取装置が設けられ、そこに記録媒体を挿入することで読み取り可能なＣＤ−ＲＯＭ２３等であってもよい。
【００７２】
又、顧客からの修繕、補修の要求があったり、住宅メーカからアフターメンテナンス作業の必要が生じた時は、特定の邸において使用された部材の取付け場所を含めた属性情報を速やかに把握することができ、充分なアフターメンテナンス業務を遂行することができる。
また、上記記録媒体は、磁気テープ、カセットテープ、フロッピーディスク、ハードディスク、ＭＯ／ＭＤ／ＤＶＤ等、又は半導体メモリであってもよい。
【００７３】
【発明の効果】
本発明によれば、住宅のメンテナンス時に発生する部材の供給を効率よく行うことに寄与することができる。
【図面の簡単な説明】
【図１】本発明の実施の形態による邸展開データ検索システムの構成を説明するブロック図である。
【図２】本発明の実施の形態による検索サーバの詳細構成を説明する図である。
【図３】邸情報ＤＢに記憶される邸情報を例示する図である。
【図４】部材ＤＢに記憶される部材データを例示する図である。
【図５】本発明の実施の形態による邸展開データ検索システムの動作を説明するフローチャートである。
【図６】本発明の実施の形態の邸検索画面を例示する図である。
【図７】本発明の実施の形態の邸検索結果画面を例示する図である。
【図８】本発明の実施の形態の邸別部材検索画面を例示する図である。
【符号の説明】
１  ＭＲＰサーバ
２  邸展開データ検索サーバ
３  アフターサービス（ＡＳ）端末
４  工事・施工端末
５  イントラネット
９  制御部
１１  送信／受信部
１３  ＲＡＭ
１５  ＲＯＭ
１７  入力操作部
１９  表示部
２１  ＣＤ−ＲＯＭドライブ
２３  ＣＤ−ＲＯＭ
２５  邸情報ＤＢ
２７  部材ＤＢ
【図１】
0003931041.tif 000002
【図２】
0003931041.tif 000003
【図３】
0003931041.tif 000004
【図４】
0003931041.tif 000005
【図５】
0003931041.tif 000006
【図６】
0003931041.tif 000007
【図７】
0003931041.tif 000008
【図８】
0003931041.tif 000009